(57)【特許請求の範囲】
【請求項１】
媒体に液体を吐出する吐出部を有し、往復移動方向に移動可能なキャリッジを備え、
前記キャリッジは、前記往復移動方向における前記吐出部の少なくとも片側に、前記吐出部から前記液体を吐出することに伴い発生するミストを捕捉する捕捉部を有し、
前記捕捉部は、気流を発生させて該捕捉部から前記ミストを移動させるファンを有し、
前記ファンによる前記ミストの移動方向の下流側に、前記ミストの回収部を備え、
前記回収部は、前記ミストの回収口と、該回収口から該回収部の内部に向けて気流を発生させる吸引部と、を有し、
前記ファンによって前記回収口に向かう気流の風速は、前記吸引部によって前記回収口から前記回収部の内部に向かう気流の風速よりも遅いことを特徴とする液体吐出装置。
【請求項２】
請求項１に記載の液体吐出装置において、
前記捕捉部は、前記ファンによる前記ミストの移動方向の下流側がテーパー形状になっていることを特徴とする液体吐出装置。
【請求項３】
媒体に液体を吐出する吐出部を有し、往復移動方向に移動可能なキャリッジを備え、
前記キャリッジは、前記往復移動方向における前記吐出部の少なくとも片側に、前記吐出部から前記液体を吐出することに伴い発生するミストを捕捉する捕捉部を有し、
前記捕捉部は、気流を発生させて該捕捉部から前記ミストを移動させるファンを有し、
前記ファンは、前記キャリッジの前記往復移動方向への移動中の風速よりも、前記キャリッジの停止中の風速のほうが、速くなるように駆動可能であることを特徴とする液体吐出装置。
【請求項４】
請求項３に記載の液体吐出装置において、
前記ファンによる前記ミストの移動方向の下流側に、前記ミストの回収部を備えることを特徴とする液体吐出装置。
【請求項５】
請求項４に記載の液体吐出装置において、
前記回収部は、前記ミストの回収口と、該回収口から該回収部の内部に向けて気流を発生させる吸引部と、を有し、
前記ファンによって前記回収口に向かう気流の風速は、前記吸引部によって前記回収口から前記回収部の内部に向かう気流の風速よりも遅いことを特徴とする液体吐出装置。
【請求項６】
請求項１から６のいずれか１項に記載の液体吐出装置において、
前記捕捉部は、前記往復移動方向と交差する交差方向に延設され、前記媒体に面する側に捕捉口が設けられることを特徴とする液体吐出装置。
【請求項７】
請求項６に記載の液体吐出装置において、
前記ファンは、前記交差方向の一端側に設けられ、該一端側から他端側に向けて送風可能であることを特徴とする液体吐出装置。
【請求項８】
請求項１から７のいずれか１項に記載の液体吐出装置において、
前記ファンは、前記媒体から離れる方向に向けて送風可能であることを特徴とする液体吐出装置。
【発明の詳細な説明】
【技術分野】
【０００１】
本発明は、液体吐出装置に関する。
【背景技術】
【０００２】
従来から、被記録媒体などの媒体にインクなどの液体を吐出する液体吐出装置が開示されている。このような液体吐出装置においては、該液体のミストが該液体の吐出部などに付着して溜まり、そのミストが媒体に垂れて媒体を汚してしまう場合があった。このため、ミストが液体の吐出部などに付着することを抑制する技術が開示されている。  
例えば、特許文献１及び２には、インクを吐出部から吐出することに伴って発生するインクのミストを回収する回収部を備えた液体吐出装置が開示されている。なお、特許文献１及び２の液体吐出装置は、吐出部を有するキャリッジを往復移動方向に往復移動させて記録する構成である。
【先行技術文献】
【特許文献】
【０００３】
【特許文献１】特開２００７−２２９９５０号公報
【特許文献２】特開２００４−２３７６９１号公報
【発明の概要】
【発明が解決しようとする課題】
【０００４】
特許文献１及び２の液体吐出装置は、インクを吐出部から吐出することに伴って発生するインクのミストを好適に回収することができる。しかしながら、吐出部から液体を吐出することに伴って発生する該液体のミストを発生後すぐに捕捉することができれば、さらに効果的にミストを回収することができる。
【０００５】
そこで、本発明の目的は、吐出部から液体を吐出することに伴って発生する該液体のミストを発生後すぐに捕捉することである。
【課題を解決するための手段】
【０００６】
上記課題を解決するための本発明の第１の態様の液体吐出装置は、媒体に液体を吐出する吐出部を有し、往復移動方向に移動可能なキャリッジを備え、前記キャリッジは、前記往復移動方向における前記吐出部の少なくとも片側に、前記吐出部から前記液体を吐出することに伴い発生するミストを捕捉する捕捉部を有し、前記捕捉部は、気流を発生させて該捕捉部から前記ミストを移動させるファンを有することを特徴とする。
【０００７】
本発明の第２の態様の液体吐出装置は、前記第１の態様において、前記捕捉部は、前記往復移動方向と交差する交差方向に延設され、前記媒体に面する側に捕捉口が設けられることを特徴とする。
【０００８】
本発明の第３の態様の液体吐出装置は、前記第２の態様において、前記ファンは、前記交差方向の一端側に設けられ、該一端側から他端側に向けて送風可能であることを特徴とする。
【０００９】
本発明の第４の態様の液体吐出装置は、前記第１から第３のいずれか１つの態様において、前記ファンは、前記媒体から離れる方向に向けて送風可能であることを特徴とする。
【００１０】
本発明の第５の態様の液体吐出装置は、前記第１から第４のいずれか１つの態様において、前記ファンによる前記ミストの移動方向の下流側に、前記ミストの回収部を備えることを特徴とする。
【００１１】
本発明の第６の態様の液体吐出装置は、前記第５の態様において、前記回収部は、前記ミストの回収口と、該回収口から該回収部の内部に向けて気流を発生させる吸引部と、を有し、前記ファンによって前記回収口に向かう気流の風速は、前記吸引部によって前記回収口から前記回収部の内部に向かう気流の風速よりも遅いことを特徴とする。
【００１２】
本発明の第７の態様の液体吐出装置は、前記第５又は第６の態様において、前記捕捉部は、前記ファンによる前記ミストの移動方向の下流側がテーパー形状になっていることを特徴とする。
【００１３】
本発明の第８の態様の液体吐出装置は、前記第１から第７のいずれか１つの態様において、前記ファンは、前記キャリッジの前記往復移動方向への移動中の風速よりも、前記キャリッジの停止中の風速のほうが、速くなるように駆動可能であることを特徴とする。
【発明の効果】
【００１４】
本発明によれば、吐出部から液体を吐出することに伴って発生する該液体のミストを発生後すぐに捕捉することができる。
【図面の簡単な説明】
【００１５】
【図１】本発明の一実施例に係る記録装置を表す概略斜視図。
【図２】本発明の一実施例に係る記録装置を表す概略平面図。
【図３】本発明の一実施例に係る記録装置を表す概略正面図。
【図４】本発明の一実施例に係る記録装置を表す概略側面図。
【図５】本発明の一実施例に係る記録装置を表す概略背面図。
【図６】本発明の一実施例に係る記録装置の要部を表す概略斜視図。
【図７】本発明の一実施例に係る記録装置を表すブロック図。
【図８】本発明の一実施例に係る記録装置のキャリッジを表す概略斜視図。
【図９】本発明の一実施例に係る記録装置のキャリッジを表す概略正面図。
【図１０】本発明の一実施例に係る記録装置のキャリッジを表す概略側面図。
【図１１】本発明の一実施例に係る記録装置のキャリッジを表す概略正面図。
【図１２】本発明の一実施例に係る記録装置のキャリッジを表す概略平面図。
【図１３】本発明の一実施例に係る記録装置のキャリッジを表す概略正面図。
【図１４】本発明の一実施例に係る記録装置のキャリッジを表す概略側面図。
【図１５】本発明の一実施例に係る記録装置の要部を表す概略側面断面図。
【図１６】本発明の一実施例に係る記録装置の回収部を表す概略斜視図。
【図１７】比較例の記録装置の要部を表す概略側面断面図。
【図１８】比較例の記録装置の要部を表す概略側面断面図。
【発明を実施するための形態】
【００１６】
以下に、本発明の液体吐出装置としての一実施例に係る記録装置について、添付図面を参照して詳細に説明する。  
最初に、本発明の一実施例に係る記録装置１の概要について説明する。  
図１は本実施例の記録装置１の概略斜視図である。また、図２は本実施例の記録装置１の概略平面図である。また、図３は本実施例の記録装置１の概略正面図である。また、図４は本実施例の記録装置１の概略側面図である。また、図５は本実施例の記録装置１の概略背面図である。そして、図６は本実施例の記録装置１の要部である記録領域周辺を表す概略斜視図である。なお、また、図１から図６は、本実施例の記録装置１から構成部材の一部を取り外した状態を表しており、例えば、キャリッジ６から記録ヘッド７（図１２参照）を有するサブキャリッジ５（図１３参照）を取り外した状態を表している。
【００１７】
本実施例の記録装置１は、粘着剤が付着された支持面で被記録媒体（媒体）を支持する粘着性ベルト２（無端ベルト）により被記録媒体を搬送方向Ａに搬送する搬送機構３を備えている。また、ロール状の被記録媒体をセット可能であり、該被記録媒体を搬送機構３に繰り出すことが可能な不図示の繰出部を備えている。また、搬送機構３による被記録媒体の搬送領域に、吐出部としての記録ヘッド７を備えたキャリッジ６を被記録媒体の搬送方向Ａと交差する往復移動方向Ｂに往復走査させて記録する記録機構４を備えている。さらに、記録機構４において記録がなされた被記録媒体を巻き取ることが可能な不図示の巻取機構を備えている。
【００１８】
本実施例の搬送機構３は、繰出部から繰り出された被記録媒体を載置して搬送する粘着性ベルト２と、粘着性ベルト２を移動させる駆動ローラー８と、従動ローラー９と、を備えている。被記録媒体は粘着性ベルト２の支持面に貼り付けられて載置される。  
ただし、搬送ベルトとしての無端ベルトは粘着性ベルトに限定されない。例えば、静電吸着式の無端ベルトを用いてもよい。  
なお、本実施例の記録装置１は、このような構成の搬送機構３を備えているが、このような構成の搬送機構に限定されず、被記録媒体を移動式の支持トレイなどに支持させて搬送する構成や、被記録媒体をローラー対などにより搬送させる構成などとしてもよい。さらには、被記録媒体を支持部に固定させ、固定された被記録媒体に対して記録ヘッド７を移動させて記録する、所謂フラッドベッドタイプの記録装置としてもよい。
【００１９】
記録機構４は、インク（液体）を吐出可能な記録ヘッド７を備えるキャリッジ６を往復移動方向Ｂに往復移動させるキャリッジモーター３０（図７参照）を有している。  
本実施例の記録装置１は、記録の際、記録ヘッド７を備えるキャリッジ６を往復走査させて記録するが、記録走査中（キャリッジ６の移動中）は、搬送機構３は被記録媒体の搬送を停止させる。別の表現をすると、記録の際、キャリッジ６の往復走査と被記録媒体の搬送は交互に行われる。すなわち、記録の際、キャリッジ６の往復走査に対応して、搬送機構３は被記録媒体を間欠搬送（粘着性ベルト２を間欠移動）させている。
【００２０】
なお、本実施例の記録装置１の骨格部を構成するパイプ１１ａには往復移動方向Ｂに延設されるレール１０ａが構成され、本実施例の記録装置１の骨格部を構成するパイプ１１ｂには往復移動方向Ｂに延設されるレール１０ｂが構成されている。そして、本実施例のキャリッジ６は、レール１０ａ及びレール１０ｂに不図示の軸受部が受けられることで、往復移動方向Ｂへの移動がレール１０ａ及びレール１０ｂにガイドされる。
【００２１】
また、パイプ１１ｂの下部の位置には、往復移動方向Ｂに延設され、不図示の複数の送風口から搬送方向Ａとは逆方向に送風する、送風部１２が設けられている。そして、パイプ１１ａの下部の位置には、往復移動方向Ｂに延設され、記録ヘッド７から吐出されたインクのミストを回収可能な、ミストの回収部１３が設けられている。なお、ミストの回収部１３は、パイプ１１ａの下部の位置において往復移動方向Ｂに延設される回収口１６が設けられている。  
また、本実施例の記録装置１の搬送方向Ａにおける下流側には、図３で表されるように、送風部１２による送風力を発生させる送風ファン１４が複数（３つ）設けられている。送風ファン１４が発生させる送風力により、送風部１２は回収部１３の外部（搬送方向Ａにおける下流側の位置）から回収口１６に向けて送風することが可能になっている。そして、本実施例の記録装置１の搬送方向Ａにおける上流側には、図５で表されるように、回収口１６から回収部１３の内部に向けて、さらに、回収部１３の内部から記録装置１の外部に向けて、気流Ｗ４（図１５参照）を発生させる吸引部としての吸引ファン１５が複数（３つ）設けられている。
【００２２】
次に、本実施例の記録装置１における電気的な構成について説明する。  
図７は、本実施例の記録装置１のブロック図である。  
制御部２３には、記録装置１の全体の制御を司るＣＰＵ２４が設けられている。ＣＰＵ２４は、システムバス２５を介して、ＣＰＵ２４が実行する各種制御プログラム等を格納したＲＯＭ２６と、データを一時的に格納可能なＲＡＭ２７と接続されている。
【００２３】
また、ＣＰＵ２４は、システムバス２５を介して、記録ヘッド７を駆動するためのヘッド駆動部２８と接続されている。  
また、ＣＰＵ２４は、システムバス２５を介して、キャリッジモーター３０、搬送モーター３１、繰出モーター３２、巻取モーター３３、送風ファンモーター１７、吸引ファンモーター１８、キャリッジファンモーター１９及びサブキャリッジファンモーター２２を駆動させるためのモーター駆動部２９と接続されている。  
ここで、キャリッジモーター３０は、記録ヘッド７を備えたキャリッジ６を移動させるためのモーターである。また、搬送モーター３１は、駆動ローラー８を駆動するためのモーターである。また、繰出モーター３２は、不図示の繰出部にセットされた被記録媒体を搬送機構３に送り出すための繰出部の駆動モーターである。また、巻取モーター３３は、記録がなされた被記録媒体を巻き取るために不図示の巻取機構を駆動させるための駆動モーターである。また、送風ファンモーター１７は、送風ファン１４を駆動するためのモーターである。また、吸引ファンモーター１８は、吸引ファン１５を駆動するためのモーターである。また、キャリッジファンモーター１９は、後述するキャリッジファン２０（図８参照）を駆動するためのモーターである。そして、サブキャリッジファンモーター２２は、後述するサブキャリッジファン２１（図１３参照）を駆動するためのモーターである。  
さらに、ＣＰＵ２４は、システムバス２５を介して、入出力部３４と接続されており、入出力部３４は、記録データ等のデータ及び信号の送受信を行うためのＰＣ３５と接続されている。
【００２４】
次に、本実施例の記録装置１の要部であるキャリッジ６について説明する。  
図８から図１４は、本実施例のキャリッジ６の概略図を表している。このうち、図８は本実施例のキャリッジ６の概略斜視図、図９、図１１及び図１３は本実施例のキャリッジ６の概略正面図、図１０及び図１４は本実施例のキャリッジ６の概略側面図、図１２は本実施例のキャリッジ６の概略平面図、を表している。また、図８から図１１はキャリッジ６から構成部材の一部、例えば、記録ヘッド７を有するサブキャリッジ５を取り外した状態を表している。また、図１１はキャリッジ６の移動に伴って生じる気流を説明するため要部であるミストの捕捉部３８ａ及び３８ｂからキャリッジファン２０を取り外した状態を表している。そして、図１２から図１４はキャリッジ６に記録ヘッド７を有するサブキャリッジ５を複数取り付けた状態を表しているが、図１２は各サブキャリッジ５に設けられた複数の記録ヘッド７の配置がわかるように透視図となっている。なお、図１０における図１０（Ａ）は、キャリッジ６を正面から見て右側の概略側面図であり、図１０（Ｂ）は、キャリッジ６を正面から見て左側の概略側面図である。
【００２５】
図１２及び図１３で表されるように、本実施例のキャリッジ６には、複数（６つ）のサブキャリッジ５を取り付け可能である。そして、図１２で表されるように、各サブキャリッジ５には、複数の記録ヘッド７が互い違い（ｓｔａｇｇｅｒ）に配置されている。なお、各サブキャリッジ５には、複数の記録ヘッド７の他に、基板などが内部に構成されており、該基板を冷却するためのサブキャリッジファン２１が設けられている。  
サブキャリッジファン２１は、サブキャリッジ５の内部に気流を送る（送風する）ことで、サブキャリッジ５の内部の温度上昇を抑制するものなので、インクのミストがサブキャリッジファン２１の周辺にあると該ミストをサブキャリッジ５の内部に送ってしまい、基板などにミストを付着させる虞がある。  
このため、本実施例の記録装置１には、基板などへのミストの付着を抑制するために、ミストの捕捉部３８ａ及び３８ｂのほか、送風部１２と回収部１３とが設けられている。
【００２６】
また、本実施例のキャリッジ６には、図８で表されるように、サブキャリッジ５の取付部３６が設けられる。  
また、図８、図９、図１１、図１２及び図１３で表されるように、記録ヘッド７から吐出されたインクのミストが上側に舞い上がり、該ミストがサブキャリッジ５に付着することを抑制するための枠状部３７が設けられている。枠状部３７は、記録ヘッド７に近くミストが多い領域に対して、ミストが舞い上がってくるのを抑制してサブキャリッジ５の上側の領域をミストの少ない領域に保つセパレーターの役割をしている。
【００２７】
さらに、図８から図１４で表されるように、往復移動方向Ｂにおける枠状部３７の外側には、キャリッジファン２０が設けられたミストの捕捉部３８ａ及び３８ｂが設けられている。  
ここで、例えば、図１１で表されるように、キャリッジ６の往復移動方向Ｂのうちの方向Ｂ１への移動中は、該往復移動方向Ｂのうちの方向Ｂ１における後方側に気流Ｗ１が発生する。また、図１１で表されるように、キャリッジ６の方向Ｂ１への移動中に、該移動に伴って、枠状部３７の方向Ｂ１における後方側における捕捉部３８ａでは、対流Ｗ２が発生する。すなわち、キャリッジ６を移動させることで、捕捉部３８ａ及び３８ｂでミストを捕捉することができる構成になっている。
【００２８】
別の表現をすると、本実施例の記録装置１は、被記録媒体にインクを吐出する記録ヘッド７を有し、往復移動方向Ｂに移動可能なキャリッジ６を備えているが、該キャリッジ６は、往復移動方向Ｂにおける両端部（往復移動方向Ｂから見て記録ヘッド７と重なる位置）に、記録ヘッド７からインクを吐出することに伴い発生するミストを捕捉する捕捉部３８ａ及び３８ｂを有している。そして、捕捉部３８ａ及び３８ｂは、気流Ｗ３（図１５参照）を発生させて該捕捉部３８ａ及び３８ｂからミストを回収部１３に向けて移動させるキャリッジファン２０を有している。  
このため、キャリッジ６に設けられた捕捉部３８ａ及び３８ｂによりキャリッジ６の往復移動に伴って記録ヘッド７からインクを吐出することに伴って発生する該インクのミストを発生後すぐに捕捉することができる構成になっている。また、捕捉部３８ａ及び３８ｂは、気流Ｗ３を発生させて該捕捉部３８ａ及び３８ｂからミストを回収部１３に向けて移動させるキャリッジファン２０を有するので、捕捉部３８ａ及び３８ｂ自体がミストで汚れて不具合が生じることも抑制できる構成になっている。  
なお、本実施例のキャリッジ６は、往復移動方向Ｂの両端部に捕捉部を備える構成であるが、往復移動方向Ｂにおける記録ヘッド７の少なくとも片側に捕捉部を備える構成であればよい。また、本実施例の記録装置１では、制御部２３の制御により、キャリッジ６の往復移動方向Ｂのうちの何れの方向の移動時においても捕捉部３８ａ及び３８ｂの両方のキャリッジファン２０を駆動することが可能であるが、このようなキャリッジファン２０の駆動方法に限定されない。ただし、キャリッジ６の往復移動方向Ｂのうちの後方側となるキャリッジファン２０を駆動させる駆動方法を実行することが好ましい。
【００２９】
また、図８から図１１で表されるように、本実施例の捕捉部３８ａ及び３８ｂは、往復移動方向Ｂと交差する交差方向である搬送方向Ａに延設され、被記録媒体に面する側（鉛直方向下側）に捕捉口４３が設けられている。このため、搬送方向Ａにおける広い範囲から、かつ、ミストが多く浮遊する被記録媒体に面する側である下側から、ミストを捕捉できる。したがって、記録ヘッド７からインクを吐出することに伴って発生する該インクのミストを発生後すぐに効率よく捕捉することができる。  
なお、本実施例の捕捉口４３は搬送方向Ａに沿った長方形の開口であり、出口４０とはその開口方向が異なっているだけの連続開口として構成されているが、このような構成に限定されず、例えば、捕捉口４３は搬送方向Ａに沿って複数の孔が設けられる構成などとしてもよいし、捕捉口４３と出口４０との境界領域に蓋部材を設けて開口を分離してもよい。
【００３０】
次に、本実施例の記録装置１の回収部１３について説明する。  
ここで、図１５は、本実施例の回収部１３とキャリッジ６及び送風部１２との位置関係を説明するための、本実施例の記録装置１の要部の概略側面断面図である。また、図１６は、回収部１３の内部の回収室４１を表す概略斜視図である。そして、図１７及び１８は、本実施例の記録装置１の要部を説明するために用いられる比較例の記録装置１の概略側面断面図であり、図１５に対応する図である。
【００３１】
図１５で表されるように、搬送方向Ａにおいて、キャリッジ６の往復移動方向Ｂにおける移動領域（記録領域に対応）よりも下流側には、搬送方向Ａにおける上流側に向けて気流を送風可能な送風部１２が設けられている。そして、該移動領域よりも上流側には、回収部１３が設けられている。このように回収部１３が配置されていることにより、記録領域で発生したインクのミストを効率よく回収可能にしている。  
別の表現をすると、本実施例の記録装置１は、キャリッジファン２０によるミストの移動方向の下流側に、ミストの回収部１３を備えており、捕捉部３８ａ及び３８ｂで捕捉したミストを回収できるとともに、捕捉部３８ａ及び３８ｂで捕捉したミストで記録装置１の内部や被記録媒体などが汚れることを抑制できる構成になっている。
【００３２】
本実施例の記録装置１の要部をさらに詳細に説明すると、図１５で表されるように、本実施例の記録装置１では、キャリッジファン２０は、往復移動方向Ｂと交差する交差方向である搬送方向Ａの一端側（下流側の開口部３９側）に設けられ、該一端側から他端側（上流側の開口部４０側）に向けて送風可能な構成になっている。すなわち、キャリッジファン２０は、該キャリッジファン２０側に引き寄せる気流を発生させるのではなく、該キャリッジファン２０側から吹き付ける気流を発生させる。このため、キャリッジファン２０がミストで汚れることを抑制しつつ、記録領域で発生したインクのミストを効率よく回収可能な構成としている。
【００３３】
また、本実施例のキャリッジファン２０は、図１５で表されるように、被記録媒体から離れる方向に向かう気流Ｗ３を送風可能である。詳細には、搬送方向Ａにおける下流側の開口部３９側に設けられたキャリッジファン２０により、捕捉部３８ａ及び３８ｂの内部における上面側に向けて気流Ｗ３を送風し、該気流Ｗ３は該上面に沿って搬送方向Ａにおける上流側の開口部４０から回収部１３に向かうよう構成されている。ここで、例えば、図１７で表されるように、キャリッジファン２０が被記録媒体に向かう気流Ｗ５を送風可能なものであると、被記録媒体が気流Ｗ５に含まれるミストで汚れる場合がある。一方、本実施例のキャリッジファン２０は、被記録媒体から離れる方向に向けて送風可能な構成であるため、被記録媒体がミストで汚れることを抑制できる。
【００３４】
また、上記のように、本実施例の記録装置１は、回収部１３に、ミストの回収口１６と、該回収口１６から該回収部１３の内部に向けて気流Ｗ４を発生させる吸引部としての吸引ファン１５、を有している。  
そして、図１５で表されるように、キャリッジファン２０によって回収口１６に向かう気流３の風速は、吸引ファン１５によって回収口１６から回収部１３の内部に向かう気流Ｗ４の風速よりも遅くなるように調整されている。  
すなわち、本実施例の記録装置１は、回収口１６の位置を基準にして、回収部１３の外部から回収口１６に向かう気流Ｗ３の風速よりも回収口１６から回収部１３の内部に向かう気流Ｗ４の風速のほうを速くしている。ここで、例えば、図１８で表されるように、気流Ｗ３の風速が気流Ｗ４の風速よりも速くなるように調整されていると、ミストを含んだ気流Ｗ３が回収部１３に入りきらない気流Ｗ６を生じさせる場合がある。このため、本実施例の記録装置１は、気流Ｗ３の風速が気流Ｗ４の風速よりも遅くなるように調整することで、ミストを含んだ気流Ｗ３が回収部１３に入りきらないということを抑制している。
【００３５】
また、図１５で表されるように、本実施例の捕捉部３８ａ及び３８ｂは、キャリッジファン２０によるミストの移動方向の下流側がテーパー形状になっている（搬送方向Ａの上流側の開口部４０に向かって高さ方向の長さが小さくなっている）。このため、回収部１３に向けてミストを精度よく送風することができる構成になっている。
【００３６】
また、本実施例の記録装置１は、制御部２３の制御により、キャリッジファン２０は、キャリッジ６の往復移動方向Ｂへの移動中の風速よりも、キャリッジ６の停止中の風速のほうが、速くなるように駆動可能である。すなわち、インクの吐出位置にずれを生じさせることのないキャリッジ６の停止中において、強い風速で、捕捉部３８ａ及び３８ｂ内部のミストを一気に除去することが可能になっている。
【００３７】
また、上記のように、本実施例の記録装置１は、図５で表されるように吸引ファン１５を備えているが、吸引ファン１５は図１６で表されるダクト４２を介して回収室４１と接続されている。別の表現をすると、回収部１３は、回収口１６から該回収部１３の内部に向けて気流を発生させる吸引部としての吸引ファン１５を有している。このため、本実施例の記録装置１は、回収部１３からインクのミストが逆流することを好適に抑制することができる構成になっている。
【００３８】
また、上記のように、本実施例の記録装置１は、回収部１３の外部から回収口１６に向けて送風する送風部１２を備えているため、ミストを効率よく回収部１３に誘導することができる構成になっている。  
なお、送風部１２は、制御部２３の制御により、キャリッジ６（記録ヘッド７）の往復移動方向Ｂへの移動中（記録中）は、送風を停止する。このため、送風部１２が発生する気流により記録ヘッド７から吐出されるインクの吐出位置にずれが生じることを抑制することが可能な構成になっている。  
さらに、本実施例の記録装置１は、送風部１２が発生する気流の風速よりも回収口１６から回収部１３の内部に向かう気流Ｗ４の風速のほうを速くしている。このため、本実施例の記録装置１は、ミストを含んだ送風部１２が発生する気流が回収部１３に入りきらないということを抑制している。
【００３９】
また、上記のように、本実施例の記録装置１は、記録ヘッド７が往復移動方向Ｂに往復移動しつつインクを吐出可能な構成であるが、吸引ファン１５は、制御部２３の制御により、キャリッジ６（記録ヘッド７）の往復移動方向Ｂへの移動中及び停止中の何れにおいても吸引状態をとることができる。すなわち、吸引ファン１５を常時吸引状態とすることができる。吸引ファン１５により回収部１３の内部で気流を発生させてもインクの吐出位置にずれは生じないので、本実施例の記録装置１は、吸引ファン１５を常時吸引状態とすることで、記録ヘッド７から吐出されるインクの吐出位置にずれが生じることを抑制しつつ、回収部１３からインクのミストが逆流することを好適に抑制することができる構成になっている。
【００４０】
なお、本実施例の回収部１３は、図１５で表されるように、回収口１６の構成領域と上面以外の各面を構成する図１６で表されるような基体部４６に、上面を構成するパイプ１１ａを載せることで回収室４１が形成される構成であるが、このような構成に限定されない。
【００４１】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４２】
本発明の第１の態様の液体吐出装置１は、媒体に液体を吐出する吐出部７を有し、往復移動方向Ｂに移動可能なキャリッジ６を備え、キャリッジ６は、往復移動方向Ｂにおける吐出部７の少なくとも片側に、吐出部７から前記液体を吐出することに伴い発生するミストを捕捉する捕捉部３８ａ及び３８ｂを有し、捕捉部３８ａ及び３８ｂは、気流Ｗ３を発生させて該捕捉部３８ａ及び３８ｂから前記ミストを移動させるファン２０を有することを特徴とする。
【００４３】
本態様によれば、キャリッジ６は、往復移動方向Ｂにおける吐出部７の少なくとも片側に、吐出部７から液体を吐出することに伴い発生するミストを捕捉する捕捉部３８ａ及び３８ｂを有する。このため、キャリッジ６に設けられた捕捉部３８ａ及び３８ｂによりキャリッジ６の往復移動に伴って吐出部７から液体を吐出することに伴って発生する該液体のミストを発生後すぐに捕捉することができる。また、捕捉部３８ａ及び３８ｂは気流Ｗ３を発生させて該捕捉部３８ａ及び３８ｂからミストを移動させるファン２０を有するので、捕捉部３８ａ及び３８ｂ自体がミストで汚れて不具合が生じることも抑制できる。
【００４４】
本発明の第２の態様の液体吐出装置１は、前記第１の態様において、捕捉部３８ａ及び３８ｂは、往復移動方向Ｂと交差する交差方向Ａに延設され、前記媒体に面する側に捕捉口４３が設けられることを特徴とする。
【００４５】
本態様によれば、捕捉部３８ａ及び３８ｂは、交差方向Ａに延設され、媒体に面する側に捕捉口３８ａ及び３８ｂが設けられる。このため、交差方向Ａにおける広い範囲から、かつ、ミストが多く浮遊する媒体に面する側から、ミストを捕捉できる。したがって、吐出部７から液体を吐出することに伴って発生する該液体のミストを発生後すぐに効率よく捕捉することができる。
【００４６】
本発明の第３の態様の液体吐出装置１は、前記第２の態様において、ファン２０は、交差方向Ａの一端側に設けられ、該一端側から他端側に向けて送風可能であることを特徴とする。
【００４７】
本態様によれば、ファン２０は、交差方向Ａの一端側に設けられ、該一端側から他端側に向けて送風可能である。すなわち、ファン２０は、該ファン２０側に引き寄せる気流を発生させるのではなく、該ファン２０側から吹き付ける気流を発生させる。このため、ファン２０がミストで汚れることを抑制できる。
【００４８】
本発明の第４の態様の液体吐出装置１は、前記第１から第３のいずれか１つの態様において、ファン２０は、前記媒体から離れる方向に向けて送風可能であることを特徴とする。
【００４９】
本態様によれば、ファン２０は媒体から離れる方向に向けて送風可能である。このため、媒体がミストで汚れることを抑制できる。
【００５０】
本発明の第５の態様の液体吐出装置１は、前記第１から第４のいずれか１つの態様において、ファン２０による前記ミストの移動方向の下流側に、前記ミストの回収部１３を備えることを特徴とする。
【００５１】
本態様によれば、ファン２０によるミストの移動方向の下流側に、ミストの回収部１３を備える。このため、捕捉部３８ａ及び３８ｂで捕捉したミストを回収でき、捕捉部３８ａ及び３８ｂで捕捉したミストで液体吐出装置１の内部や媒体などが汚れることを抑制できる。
【００５２】
本発明の第６の態様の液体吐出装置１は、前記第５の態様において、回収部１３は、前記ミストの回収口１６と、該回収口１６から該回収部１３の内部に向けて気流Ｗ４を発生させる吸引部１５と、を有し、ファン２０によって回収口１６に向かう気流Ｗ３の風速は、吸引部１５によって回収口１６から回収部１３の内部に向かう気流Ｗ４の風速よりも遅いことを特徴とする。
【００５３】
本態様によれば、回収部１３はミストの回収口１６と該回収口１６から該回収部１３の内部に向けて気流Ｗ４を発生させる吸引部１５とを有し、ファン２０によって回収口１６に向かう気流Ｗ３の風速は吸引部１５によって回収口１６から回収部１３の内部に向かう気流Ｗ４の風速よりも遅い。すなわち、回収口１６の位置を基準にして、回収部１３の外部から回収口１６に向かう気流Ｗ３の風速よりも回収口１６から回収部１３内部に向かう気流Ｗ４の風速のほうを速くする。このため、ミストを含んだ気流Ｗ３が回収部に入りきらないということを抑制することができる。
【００５４】
本発明の第７の態様の液体吐出装置１は、前記第５又は第６の態様において、捕捉部３８ａ及び３８ｂは、ファン２０による前記ミストの移動方向の下流側がテーパー形状になっていることを特徴とする。
【００５５】
本態様によれば、捕捉部３８ａ及び３８ｂはファン２０によるミストの移動方向の下流側がテーパー形状になっている。このため、回収部１３に向けてミストを精度よく送風することができる。
【００５６】
本発明の第８の態様の液体吐出装置１は、前記第１から第７のいずれか１つの態様において、ファン２０は、キャリッジ６の往復移動方向Ｂへの移動中の風速よりも、キャリッジ６の停止中の風速のほうが、速くなるように駆動可能であることを特徴とする。
【００５７】
本態様によれば、ファン２０は、キャリッジ６の往復移動方向Ｂへの移動中の風速よりも、キャリッジ６の停止中の風速のほうが、速くなるように駆動可能である。このため、液体の吐出位置にずれを生じさせることのないキャリッジ６の停止中において、強い風速で、捕捉部３８ａ及び３８ｂ内部のミストを一気に除去することが可能になる。
【符号の説明】
【００５８】
１  記録装置（液体吐出装置）、２  粘着性ベルト、３  搬送機構、４  記録機構、
５  サブキャリッジ、６  キャリッジ、７  記録ヘッド（吐出部）、８  駆動ローラー、
９  従動ローラー、１０ａ、１０ｂ  レール、１１ａ、１１ｂ  パイプ、
１２  送風部、１３  回収部、１４  送風ファン、１５  吸引ファン、１６  回収口、
１７  送風ファンモーター、１８  吸引ファンモーター、
１９  キャリッジファンモーター、２０  キャリッジファン（ファン）、
２１  サブキャリッジファン、２２  サブキャリッジファンモーター、
２３  制御部、２４  ＣＰＵ、２５  システムバス、２６  ＲＯＭ、２７  ＲＡＭ、
２８  ヘッド駆動部、２９  モーター駆動部、３０  キャリッジモーター、
３１搬送モーター、３２  繰出モーター、３３  巻取モーター、３４  入出力部、
３５  ＰＣ、３６  サブキャリッジ５の取付部、３７  枠状部、
３８ａ、３８ｂ  捕捉部、３９  開口部、４０  開口部、４１  回収室、
４２  ダクト、４３  捕捉口、４６  基体部、
Ｗ１、Ｗ２、Ｗ３、Ｗ４、Ｗ５、Ｗ６  気流
【図１】
0006468431.tif 000002
【図２】
0006468431.tif 000003
【図３】
0006468431.tif 000004
【図４】
0006468431.tif 000005
【図５】
0006468431.tif 000006
【図６】
0006468431.tif 000007
【図７】
0006468431.tif 000008
【図８】
0006468431.tif 000009
【図９】
0006468431.tif 000010
【図１０】
0006468431.tif 000011
【図１１】
0006468431.tif 000012
【図１２】
0006468431.tif 000013
【図１３】
0006468431.tif 000014
【図１４】
0006468431.tif 000015
【図１５】
0006468431.tif 000016
【図１６】
0006468431.tif 000017
【図１７】
0006468431.tif 000018
【図１８】
0006468431.tif 000019